(57)【要約】【課題】回転式カメラ付き携帯端末において、本体ケースと回転ケースの間を電気的に接続するフレキシブルプリント基板の長さを短くし、断線やコネクタの破損を防止し、省スペースで且つ回転角度に限界のない接続機構を提供する。【解決手段】回転ケース１に固定され回転軸の周りを回動するように実装されたスプリングコネクタ６と、本体ケース内２に形成され前記回転軸と軸が一致する円筒状の空間の内側に沿って実装されたフレキシブルプリント基板７とからなり、前記スプリングコネクタ６と前記フレキシブルプリント基板７の導体パターンの接触により回転ケース１と本体ケース２の間の電気的な接続を行う。【選択図】        図２
2005086541.tif 000002
【特許請求の範囲】
【請求項１】
本体ケースに対し回転可能なカメラを内蔵する回転ケースを備える回転式カメラ付き電子機器の電気的接続機構において、
回転ケースに固定され回転軸の周りを回動するように実装された摺動接触子と、本体ケース内に形成され前記回転軸と軸が一致する円筒状の空間の内側に沿って実装されたフレキシブルプリント基板とからなり、前記摺動接触子と前記フレキシブルプリント基板の導体パターンの接触により回転ケースと本体ケースの間の電気的な接続を行うことを特徴とする回転式カメラ付き電子機器の電気的接続機構。
【請求項２】
前記摺動接触子は、回転ケース内に固定された基板の片面又は両面に実装されていることを特徴とする請求項１記載の回転式カメラ付き電子機器の電気的接続機構。
【請求項３】
前記回転ケースは、回転軸の両端において本体ケースと回転可能に係合され、前記摺動接触子は、回転ケース内に固定された基板の回転軸方向の両端に実装され、フレキシブルプリント基板は、前記基板の両端に対応する本体ケース内の前記円筒状の空間の内側に沿って実装されていることを特徴とする請求項２記載の回転式カメラ付き電子機器の電気的接続機構。
【請求項４】
前記回転ケースは、回転軸の一端において本体ケースと回転可能に係合され、前記摺動接触子は、回転ケース内に固定された基板の回転軸方向の一端側に実装され、フレキシブルプリント基板は、前記基板の一端に対応する本体ケース内の前記円筒状の空間の内側に沿って実装されていることを特徴とする請求項２記載の回転式カメラ付き電子機器の電気的接続機構。
【請求項５】
前記フレキシブルプリント基板の導体パターンは、前記回転ケースの回転により前記摺動接触子との接触が断続する形状に形成され、カメラの動作を制御するスイッチ機能を実現することを特徴とする請求項１ないし４の何れかの請求項記載の回転式カメラ付き電子機器の電気的接続機構。
【請求項６】
前記基板は、カメラを実装したプリント基板で構成されたことを特徴とする請求項１ないし５の何れかの請求項記載の回転式カメラ付き電子機器の電気的接続機構。
【請求項７】
前記摺動接触子は、スプリングコネクタであることを特徴とする請求項１ないし６の何れかの請求項記載の回転式カメラ付き電子機器の電気的接続機構。
【発明の詳細な説明】
【技術分野】
【０００１】
本発明は回転式カメラ付き電子機器に関し、特に、回転ケースと固定の本体ケースとの間の電気的接続に関する。
【背景技術】
【０００２】
従来、回転式カメラ付き携帯端末においては、カメラ部と携帯端末本体内の電子回路部との電気的な接続にフレキシブルプリント基板を使用することにより、カメラ部の回転による携帯端末本体の実装回路部との間の相対運動による機械的影響を吸収し、断線等を防止する構成が採用されている（特許文献１〜３参照）。
【０００３】
【特許文献１】特開2002-359678号公報
【特許文献２】特開2003-60764号公報
【特許文献３】特開2003-204181号公報    図２３は、この種の従来の回転式カメラ付きの携帯端末の構成を示す図である。図２３の正面図（ａ）及びＡ−Ａ断面を示す図（ｂ）に示すように、携帯端末は下部にキーボード等の操作部１２２を、その上部にＬＣＤ等の表示部１２１をそれぞれ設けた筺体でなり、該筺体の上端部の中央等に、ヒンジ構造により回転可能でレンズ１０３が実装された開口（窓）１０３を有するカメラを内蔵する円筒状等の回転ケース１０１を具備する。
【０００４】
図２４は、図２３（ａ）に示す回転式カメラ付き携帯端末の回転式カメラ部のヒンジ軸を含むＢ−Ｂ断面を示す図である。図２５は、図２４に示すＣ−Ｃ断面を示す図である。この回転式カメラ付き携帯端末は、本体ケース１０２と回転ケース１０１から構成され、回転ケース１０１は、本体ケース１０２に回動可能に係合されている。フレキシブルプリント基板１０７は、回転ケース１０１の回転軸に巻き付けるように実装されており、一端が回転軸を介してカメラ１０４と電気的に接続され、他端が本体ケース１０２内のプリント基板１０８と電気的に接続されている。回転ケース１０１が回転すると、回転にあわせてフレキシブルプリント基板１０７の巻きがきつくなったり、ゆるくなったりする。回転ケース１０１内のカメラ１０４の撮影により出力された電気信号はフレキシブルプリント基板１０７を介して本体ケース１０２内のプリント基板１０８に伝えられる。電気信号の伝達経路は以下のとおりである。
【０００５】
回転ケース１０１は、本体ケース１０２に回動可能であり、レンズ１０３が実装された窓から入った光はカメラ１０４に入る。カメラ１０４は取り込んだ光をセンサーにより電気信号に変換して出力する。プリント基板１０５は、カメラ１０４から出力された電気信号をプリント基板１０５に実装されたコネクタ１０６に伝える。フレキシブルプリント基板１０７は、プリント基板１０５からコネクタ１０６を介して伝わった電気信号を本体ケース１０２に固定されたプリント基板１０８にコネクタ１０９を介して伝える。
【発明の開示】
【発明が解決しようとする課題】
【０００６】
従来の回転式カメラ付き携帯端末の電気的接続機構においては、フレキシブルプリント基板１０７は回転ケース１０１に巻き付けるように実装されているため、回転ケースの回転により巻き状態がきつくなったり、ゆるくなったりするため、使用頻度によりフレキシブルプリント基板が疲弊し、断線する可能性がある。  
更に、フレキシブルプリント基板１０７が最大にきつくなった時には、引っ張りすぎでフレキシブルプリント基板１０７が断線したり、フレキシブルプリント基板１０７と接続しているコネクタ１０６、１０９が破損する可能性があり、信頼性に問題がある。
【０００７】
また、回転ケースの回転又は回転角度の自由度を高め、同一方向に３６０度以上に回転させることができるようにするとフレキシブルプリント基板１０７の長さが極めて長くなる。  
また、フレキシブルプリント基板１０７が最大にゆるんだ状態においては、巻いた状態に比べ収容する空間が増大することから、本体ケース１０２内に必要な多くの空間を占有し、本来の部品や回路を実装するための実装空間を圧迫することになる。これは回転ケースの回転角度の自由度を高めるほど大きな問題となる。
【０００８】
また、フレキシブルプリント基板１０７の長さを少なくすると、回転ケースの回転角度に影響し回転範囲に制約が生じ、撮影の自由度及び操作性が低下するという問題が生じる。
（目的）
本発明の目的は、以上の問題を解決するものであり、フレキシブルプリント基板の長さを短くし、断線やコネクタの破損が発生せず、省スペースで且つ回転角度に限界のない回転式カメラ付き電子機器の電気的接続機構を提供することにある。
【課題を解決するための手段】
【０００９】
本発明は、回転式カメラの接続方法において、回転部分の回転角度に限度がないように固定の本体ケース部分と接続したことを特徴としている。  
【００１０】
本発明の回転式カメラ付き電子機器の電気的接続機構は、本体ケースに対し回転可能なカメラを内蔵する回転ケースを備える回転式カメラ付き電子機器の電気的接続機構において、回転ケースに固定され回転軸の周りを回動するように実装された摺動接触子と、本体ケース内に形成され前記回転軸と軸が一致する円筒状の空間の内側に沿って実装されたフレキシブルプリント基板とからなり、前記摺動接触子と前記フレキシブルプリント基板の導体パターンの接触により回転ケースと本体ケースの間の電気的な接続を行うことを特徴と、前記摺動接触子は、回転ケース内に固定された基板の片面又は両面に実装されていることを特徴とする。
【００１１】
また、前記回転ケースは、回転軸の両端において本体ケースと回転可能に係合され、前記摺動接触子は、回転ケース内に固定された基板の回転軸方向の両端に実装され、フレキシブルプリント基板は、前記基板の両端に対応する本体ケース内の前記円筒状の空間の内側に沿って実装されていることを特徴とし、又は、回転軸の一端において本体ケースと回転可能に係合され、前記摺動接触子は、回転ケース内に固定された基板の回転軸方向の一端側に実装され、フレキシブルプリント基板は、前記基板の一端に対応する本体ケース内の前記円筒状の空間の内側に沿って実装されていることを特徴とする。
【００１２】
また、前記フレキシブルプリント基板の導体パターンは、前記回転ケースの回転により前記摺動接触子との接触が断続する形状に形成され、カメラの動作を制御するスイッチ機能を実現すること、前記基板は、カメラを実装したプリント基板で構成されたこと、前記摺動接触子は、スプリングコネクタであることを特徴とする。
【００１３】
より具体的には、回転ケース１は、本体ケース２に回動可能に固定され、レンズ３と内部にカメラ４と本体ケース２に接続するためのスプリングコネクタ６が実装されたプリント基板５が実装される。本体ケース２には円筒状に形成された内壁部分に内接するように実装され、スプリングコネクタ６との接点が３６０度又はそれ以上の範囲で常に可能になるように実装されたフレキシブルプリント基板７が設けられ、該フレキシブルプリント基板７は本体ケース側のプリント基板８にコネクタ９を介して接続される（図２）。
【発明の効果】
【００１４】
本発明によれば、回転ケースの回転によりフレキシブルプリント基板を引っ張ったり、屈曲させることがないので、フレキシブルプリント基板が断線したりフレキシブルプリント基板と接続をしているコネクタが破損するようなことがなく、配線の信頼性が向上する。
【００１５】
また、回転ケースと固定の本体ケースの接続をフレキシブルプリント基板と摺動接触子とを接触することにより接続するものであることから、回転ケースを３６０度以上回転させるようにしてもフレキシブルプリント基板の長さが長くなることが無く、フレキシブルプリント基板の長さを固定することが可能である。
【００１６】
更に、回転ケースと本体ケースの間を接続するフレキシブルプリント基板のたるみを持たせる必要がないから、フレキシブルプリント基板が占有する空間を最小限にすることができ、実装空間の省スペース化を実現することが可能である。
【００１７】
また、回転ケース側に配置したスプリングコネクタと、本体ケースの接続を円筒状の内壁に沿って接着したフレキシブルプリント基板とを摺動、接触することで、回転ケース側と本体ケース側を電気的に接続しているので、フレキシブルプリント基板の長さによる回転ケースの回転範囲の制約、限界を回避することが可能であり操作性が向上する。
【発明を実施するための最良の形態】
【００１８】
次に、本発明の回転式カメラの接続方法に関し、回転式カメラ付き携帯端末を例とする一実施の形態について図面を参照して詳細に説明する。  
（構成の説明）
図１は、本発明の第１の実施の形態の回転式カメラ付き携帯端末の構成を示す図である。図１の正面図（ａ）及びＡ−Ａ断面図（ｂ）に示すように、本実施の形態の回転式カメラ付き携帯端末の全体構成は従来例と同様である。回転式カメラ付き携帯端末の筺体は、携帯端末本体の前面の下部にキーボード等の操作部２２が、その上部にＬＣＤ等の表示部２１がそれぞれ設けられ、該筺体の上部の両端に延在する筺体の２つの突出部２３であって、２つの突出部２３の相対する外壁にヒンジの一部を構成する円形開口を備え、この２つの突出部２３の間に、前記突出部２３の突出量及び２つの突出部２３の間隔内に収容可能な大きさを有しカメラ部を収容する円筒部１１と、その両端に前記円形開口に嵌合するヒンジ結合用の円筒軸１２とからなる回転ケース１が実装されている。
【００１９】
なお、携帯端末の本体ケース２は、内部への回路基板等を実装する等ために、通常、前面（正面）側と背面側の２つのケース又はカバー等の部材の係合により構成され、回転ケース１も同様に２つの部材の係合により構成される。
【００２０】
図２は、図１の回転式カメラ付き携帯端末の回転カメラ部の円筒軸を含み、携帯端末の前面（背面）に対し略直角方向のＢ−Ｂ断面を示す図である。図２に示す詳細構造から分かるように、本体ケース２の前記突出部の構造は、本体ケース２の筺体の左右端部から上部側に延在する外壁と、中央部の上部外壁から上部方向に延在する外壁を備え、２つの突出部の相対する外壁には回転ケース１の両端の円筒軸１２を嵌入してヒンジ機能を実現する円形開口を備え、回転ケース１の円筒軸１２には、突出部２３の前記円形開口の端部２５が嵌合する溝が形成され、ヒンジ結合の位置決め及び回転を円滑化し、ヒンジ結合の精度を高めている。
【００２１】
次に、本実施の形態の回転ケース１の内部及び本体ケース２の突出部の内部構造について詳細に説明する。
【００２２】
回転ケース１の内部構造は、軸方向に連通する空洞と円筒部１２の側面の窓３を備え、空洞には一端側にカメラ４が実装される面積を有し、他端側に円筒軸１２の端部から突出し複数のスプリングコネクタ６が配列される長さを有する細長い基板５が固定される。つまり、基板５は、カメラ４が窓に対向するように位置し、スプリングコネクタ６が円筒軸１２の外側に位置するような長さに設計される。
【００２３】
また、スプリングコネクタ６側の突出部２３の内部構造は、前記円筒開口と連通し、回転ケース１の回転による前記スプリングコネクタ６の回転時に摺動接触子としてのスプリングコネクタ６のピン側が摺動する円筒状の内壁を形成する突起部材２４を有し、前記突起部材２４の円筒状の内壁に沿ってフレキシブルプリント基板７を一端側から略一巻きした状態に装着（接着）し、フレキシブルプリント基板７の他端側を突出部２３の外壁との間、又は携帯端末の内部に設けたプリント基板８とコネクタ９を介して電気的に接続する構造を備える。
【００２４】
図３は、図２に示すＣ−Ｃ断面を示す図である。本体ケース２の前面側から見た右側の突出部２３の上部の外壁の内側から形成され内部が円筒状の内壁を有する突起部材２４に、該円筒状の内壁に沿って装着したフレキシブルプリント基板７と、基板５の上部に固定されたスプリングコネクタ６がピン側がフレキシブルプリント基板７の導体上を摺動するように配置された構成を備える。
【００２５】
図４は、フレキシブルプリント基板７の形状、構造を示す図である。フレキシブルプリント基板７は、Ｌ字状の基材２０１と、その上にＬ字状に平行に形成された複数の直線状の導電パターン２０２と、Ｌ字状の一方の導電パターン２０２上にレジスト部２０３を形成した形状、構造を備える。フレキシブルプリント基板７は、図３に示すように、Ｌ字状の他方を前記円筒状の内壁に接着する等により装着し、スプリングコネクタ６のピンが摺動するリング状の導電部を構成し、前記レジスト部２０３を形成した一方を突起部材２４の外部に折り曲げた後、その端部をコネクタ９に接続される。
【００２６】
本実地の形態の信号の伝達経路は、次のとおりである。  
図２に示すように、回転ケース１は本体ケース２に回動可能に固定され、レンズ３が実装された窓から入った光はカメラ４に入る。カメラ４は、内部のセンサーで取り込んだ光を電気信号に変換して出力する。プリント基板５は、カメラ４から出力された電気信号をプリント基板５に実装されたスプリングコネクタ６に伝える。スプリングコネクタ６は、プリント基板５から伝えられた電気信号をスプリングコネクタ６を介し、内部のスプリングのバネ圧によりコネクタのピン状の金属端子を、本体ケース２の突出部２３内に設けられた円筒状の内壁に内接するように実装されたフレキシブルプリント基板７の導体パターン２０２に圧接することにより導体パターン２０２に伝える。
【００２７】
フレキシブルプリント基板７は、スプリングコネクタ６から伝えられた電気信号を、本体ケース内のプリント基板８に実装されフレキシブルプリント基板７と接続されたコネクタ９に伝える。なお、フレキシブルプリント基板７は、図４に示すように本体ケース２に設けられた円筒状の内壁部分に固定されスプリングコネクタ６が接触する部分は、全て導体パターンでなる端子となるように構成している。コネクタ９は、フレキシブルプリント基板７から伝えられた信号を本体ケース内のプリント基板８に伝える。
【００２８】
以上詳細に実施の形態の構成を述べたが、図２のスプリングコネクタ６、フレキシブルプリント基板７、コネクタ９は、当業者にとってよく知られていることから、より詳細な構成の説明は省略する。
【００２９】
以上の構造から明らかなように本実地の形態のフレキシブルプリント基板７は、カメラケース２の円筒軸に巻きつけた構造をとっておらず、カメラケース２の回転時にフレキシブルプリント基板７が可動する機構を構成することがない。
【００３０】
（動作の説明）
次に、本実施の形態の回転式カメラ付き携帯端末の動作について、図面を参照して詳細に説明する。  
図１〜図３に示す状態において、ユーザが回転ケース１を回転すると、回転ケース１内に固定されているレンズ３、カメラ４、プリント基板５、スプリングコネクタ６は、回転ケース１の動きにあわせて回転し撮影方向の変更が可能である。スプリングコネクタ６は、その先端の接触子（ピン）が内部のバネ圧によって本体ケース２内の突起部材２４の円筒状の内壁に固定されたフレキシブルプリント基板７の導体パターン２０２に接触しているため、ピンは回転ケース１の回転時にも常時導体パターン２０２に接触状態にあり、カメラ４から出力された電気信号はフレキシブルプリント基板７及びコネクタ９を通して本体ケース２に固定されたプリント基板８に伝えられる。
【００３１】
図５は、回転式カメラの回転ケース１を回動してレンズ（窓）を携帯端末の上部側に向けた場合の正面図及びそのＡ−Ａ断面を示しており、図６は図５のＢ−Ｂ断面、図７は図６のＣ−Ｃ断面を示す図である。図５は図１の位置から回転ケース１を９０度回転し、カメラのレンズ３が携帯端末の上部側に向けると、基板５上のカメラ４のレンズ３及びスプリングコネクタ６のピンは、同一導体パターン上を摺動、回転し、図６、図７に示すように上部方向の位置で導体パターンと接触する。カメラ４のレンズ３は携帯端末の上部側に向けた状態となる。カメラ４から出力された電気信号はフレキシブルプリント基板７及びコネクタ９を通して本体ケース２に固定されたプリント基板８に伝えられる。
【００３２】
図８は、回転式カメラの回転ケース１を回動してレンズ（窓）を携帯端末の背面側に向けた場合の正面図及びＡ−Ａ断面を示しており、図９は図８のＢ−Ｂ断面、図１０は図９のＣ−Ｃ断面を示す図である。図１の位置から回転ケース１を１８０度回転すると、回転ケース１に固定されているレンズ３、カメラ４、プリント基板５、スプリングコネクタ６は、回転ケース１の動きにあわせて回転をする。スプリングコネクタ６は、そのピンが円筒状の内壁に固定したフレキシブルプリント基板７の導体パターン２０２に内部のバネ圧によって接触しているため、接触しながら回転し、図９、図１０に示すように背面方向の位置で導体パターンと接触する。カメラ４から出力された電気信号はフレキシブルプリント基板７及びコネクタ９を通して同様に本体ケース２に固定されたプリント基板８に伝えられる。
【００３３】
図１１は、回転式カメラの回転ケース１を回動してレンズ（窓）を携帯端末の下部側に向けた場合の正面図及びＡ−Ａ断面を示しており、図１２は図１１のＢ−Ｂ断面、図１３は図１１のＣ−Ｃ断面を示す図である。図１の位置から回転ケース１を２７０度回転すると、回転ケース１に固定されているレンズ３、カメラ４、プリント基板５スプリングコネクタ６は、回転ケース１の動きにあわせて回転をする。スプリングコネクタ６は、そのピンが円筒状の内壁に固定したフレキシブルプリント基板７の導体パターン２０２に内部のバネ圧によって接触しているため、接触しながら回転し、図１２、図１３に示すようにプリント基板５上のカメラ４のレンズ３及びスプリングコネクタ６のピンは、下部側を指すように位置する。カメラ４から出力された電気信号をフレキシブルプリント基板７及びコネクタ９を通して同様に本体ケース２に固定されたプリント基板８に伝えられる。
【００３４】
更に、図１の位置から回転ケース１を３６０度回転すると、回転ケース１は元の位置に戻り、スプリングコネクタ６とフレキシブルプリント基板７との接続状態は図１〜図３に示す状態と同様となる。
【００３５】
以上のように、回転ケース１を回転させることに伴い、スプリングコネクタ６とフレキシブルプリント基板７の導体パターンとの接触位置が変化するが、同一の導体パターン上で接触、摺動するため、回転ケース１がどの位置にあってもカメラ４から出力された電気信号は、フレキシブルプリント基板７を介して本体ケース２に固定されたプリント基板８に伝えられる。
【００３６】
（他の実施の形態２）
第２の実施の形態はスプリングコネクタ６とフレキシブルプリント基板７の導体パターンとの摺動、接触による基本的構成は第１の実施の形態の構造と同様であるが、フレキシブルプリント基板７と接触するスプリングコネクタ６を基板の両面等に配置したものである。
【００３７】
図１４は、本実施の形態の構成を示す図であり、図１５は、図１４のＣ−Ｃ断面を示す図である。図１４に示すように、プリント基板５をスルーホールを利用して裏面側への配線を可能とした両面基板とし、スプリングコネクタ６をプリント基板５の両面に設けた構造を備えるものである。カメラ４が出力した電気信号をプリント基板５を通じて表面に実装されたスプリングコネクタ６と裏面に実装されたスプリングコネクタ６に伝える。
【００３８】
ここで、基板表面のスプリングコネクタ６と裏面のスプリングコネクタ６とは、フレキシブルプリント基板７の同一導体パターンに接触するように実装する構造とすることにより、スプリングコネクタ６の摺動時における一方の一時的な接触不良があっても、他方のスプリングコネクタ６の接触により安定した導通状態が維持できるという効果が得られる。また、表裏のスプリングコネクタ６を異なる導体パターンと接触するように配置、構成することにより、高密度な信号配線を実現することができる。
【００３９】
（他の実施の形態３）
図１６は、本発明の第３の実施の形態の構成を示す図であり、図１７は、図１６のＣ−Ｃ断面を示す図である。本実施の形態では、図１４、図１５に示す両面プリント基板５を使用する構造に代え、カメラ４を中心にして回転軸方向に長い片面プリント基板を使用し、プリント基板の両端側にスプリングコネクタ６を実装するように構成し、本体ケース２の他の突出部２３内にも同様な突起部材２４の構造を設け、プリント基板の両端側にそれぞれスプリングコネクタ６と接続する第１、第２のフレキシブルプリント基板７を設けた構成としたものである。本実施の形態においても、同一の電気信号が供給されたスプリングコネクタ６が接触する２つのフレキシブルプリント基板７の導体パターンを本体ケースの内部で共通接続することにより、安定した導通状態が維持される。また、両端側のスプリングコネクタ６が接触する２つのフレキシブルプリント基板７の導体パターンを異なる電気信号の伝達に使用することにより、より多くの信号配線を可能とする。
【００４０】
（他の実施の形態４）
図１８は、第４の実施の形態の構成を示す図であり、図１９は、図１８のＣ−Ｃ断面を示す図である。本実施の形態は、図１６と同様に２つの突出部内にそれぞれプリント基板５を突出する構造を採用し、更に基板として両面プリント基板５を使用し、カメラを中心にしてプリント基板５の両端の表裏にスプリングコネクタ６を実装してフレキシブルプリント基板７と接続するように構成したものである。プリント基板５は、回転ケース１の回動により突起部材２４の中心位置で回動するように、プリント基板５を回転ケース１の中央で保持するように設計する。本実施の形態においては、一層の導通の安定化又は高密度配線を可能とする。
【００４１】
（他の実施の形態５）
第５の実施の形態は、回転ケース１をユーザにより回転することにより、回転式カメラの電源、信号等のオン／オフ制御を可能とするものである。本実施の形態は図１〜図３に示すような構造により実現可能である。
【００４２】
図２０は、本実施の形態の構成を示す図である。本実施の形態はフレキシブルプリント基板７の配線パターンを工夫することによりカメラ４の電源、信号等のオン／オフ動作等を可能とする。図２０に示すパターン２１１には、常にあるスプリングコネクタ６と接続して電源電圧、電気信号等が印加されるように連続して形成された導体パターン２１１を設けるとともに、カメラ４の電源、動作等、ＯＮ／ＯＦＦを行うための導体パターンとして、回転ケース１の所定の回転角度の範囲で他のスプリングコネクタ６が当該導体パターンと接触が途絶えるように、適宜、カットした導体パターン２１２とし、切断箇所はスルーホール等を介して裏面等の導体パターンにより電気的に接続したフレキシブルプリント基板７を使用する。
【００４３】
このような導体パターンの構成により、スプリングコネクタ６が導体パターン２１２に接続する回転ケース１の回転範囲では、電力又は電気信号を伝えるが、導体パターンがカットされている回転範囲では電力又は電気信号が切断される。これにより回転ケース１の回動制御によりスプリングコネクタ６とフレキシブルプリント基板７との位置関係により、カメラ４の電源もしくは動作信号のＯＮ／ＯＦＦの切り替え制御を可能とする。
【００４４】
以上のように本実施の形態の回転式カメラ付き携帯端末では、回転ケース１が回転している時にスプリングコネクタ６がパターンカットしている部分に接触すると、カメラ４の電源及び動作がオフし、導体パターンがある部分に接触すると、カメラ４の電源及び動作がオンする。
【００４５】
本実施の形態では、フレキシブルプリント基板の導体パターンによりカメラの電源もしくは動作のオン／オフが制御でき、カメラ動作が不要なときの省電力化が可能である。また、カメラの制御スイッチが省略できるので、実装スペースの省スペース化、コストダウンが可能であるという効果が得られる。
【００４６】
本実施の形態は、図１４から図１９までの何れの実施の形態においても適用可能である。また、同一導体パターンに複数のスプリングコネクタ６を接触させる構造との併用により、カメラ等に関連して裏面接続しない単一の導体パターン２１２の切断部分により前記複数のスプリングコネクタ６間のオン／オフの制御を行うことが可能である。
【００４７】
（他の実施の形態６）
以上の実施の形態においては、回転ケースは、その両側に設けた回転軸により本体ケースの上部側の２つの突出部の間に回転可能に係合した構造の回転カメラ付き携帯端末の例を説明したが、本発明は回転ケースが本体ケースの１つの突出部等の外壁に１つの回転軸により片持ち梁の形に回転可能に係合した回転カメラ付き携帯端末に適用可能であることは云うまでもない。
【００４８】
図２１は、第６の実施の形態を示す図であり、図２２は、図２１のＢ−Ｂ断面を示す図である。本体ケース２の上部の一端側にのみ円筒軸１２の係合用の開口を有する突出部２３を備え、該突出部２３の開口と係合する回転軸を備える回転ケース１から構成される。回転ケース１内に固定されたプリント基板５と、該基板上に設置したスプリングコネクタ６と、該スプリングコネクタ６と電気的接続する突出部２３内の突起部材２４と、フレキシブルプリント基板７及びプリント基板８等の構造は以上の実施の形態で説明した構造と同様である。この実施の形態には、前述の２つの突出部を備える実施の形態のものを除いてそれぞれのスプリングコネクタ６の配置、導体パターンの構造等が適用可能であることは明らかである。
【００４９】
更に、以上の実施の形態においてプリント基板５から伝えられた電気信号を本体ケース２に設けられた円筒状の内壁に内接するように実装されたフレキシブルプリント基板７に電気信号を伝える手段として、スプリングコネクタを使用する例を説明したが、スプリングコネクタとともにバネ性があり導体上を摺動する接触導体や端子等の摺動接触子で構成することが可能である。また、回転ケースの円筒軸に関連して取り付けられる摺動接触子は、基板５を用いて取り付ける外に円筒軸の端部形状を延長し一部切り欠く等により円筒軸の内壁に設けたり、円筒軸の外周に設ける等の構造の変形も可能である。要するに本体ケースの突起部内等に形成された円筒状の内壁等に摺動接触子が摺動するように円筒軸に関連して実装することが可能である。
【産業上の利用可能性】
【００５０】
携帯電話機、ＰＨＳ（Personal Handy-phone System）、ＰＤＡ（Personal Data Assistance、 Personal Digital Assistants：個人向け携帯型情報通信機器）、ノートＰＣ（ノート型 Personal Computer）等の携帯端末装置等、回転式カメラを搭載する電子機器への適用が可能である。
【図面の簡単な説明】
【００５１】
【図１】本発明の第１の実施の形態の回転式カメラ付きの携帯端末の正面図とＡ−Ａ断面矢視図である。
【図２】図１のＢ−Ｂ断面矢視図である。
【図３】図２のＣ−Ｃ断面矢視図である。
【図４】第１の実施の形態のフレキシブルプリント基板を示す正面図である。
【図５】回転カメラが図１の状態より９０度回転した状態を示す正面図とＡ−Ａ断面矢視図である。
【図６】図５のＢ−Ｂ断面矢視図である。
【図７】図６のＣ−Ｃ断面矢視図である。
【図８】回転カメラが図１の状態より１８０度回転した状態を示す正面図とＡ−Ａ断面矢視図である。
【図９】図８のＢ−Ｂ断面矢視図である。
【図１０】図９のＣ−Ｃ断面矢視図である。
【図１１】回転カメラが図１の状態より２７０度回転した状態を示す正面図とＡ−Ａ断面矢視図である。
【図１２】図１１のＢ−Ｂ断面矢視図である。
【図１３】図１２のＣ−Ｃ断面矢視図である。
【図１４】本発明の第２の実施の形態を示す断面図である。
【図１５】図１４のＣ−Ｃ断面矢視図である。
【図１６】本発明の第３の実施の形態を示す断面図である。
【図１７】図１６のＣ−Ｃ断面矢視図である。
【図１８】本発明の第４の実施の形態を示す断面図である。
【図１９】図１８のＣ−Ｃ断面矢視図である。
【図２０】本発明の第５の実施の形態のフレキシブルプリント基板の正面図である。
【図２１】本発明の第６の実施の形態の回転式カメラ付きの携帯端末の正面図とＡ−Ａ断面矢視図である。
【図２２】図２１のＢ−Ｂ断面矢視図である。
【図２３】従来の回転カメラ付きの携帯端末を示す正面図とＡ−Ａ断面矢視図である。
【図２４】図２３のＢ−Ｂ断面矢視図である。
【図２５】図２４のＣ−Ｃ断面矢視図である。
【符号の説明】
【００５２】
１、１０１  回転ケース
２、１０２  本体ケース
３、１０３  レンズ
４、１０４  カメラ
５、１０５  プリント基板
６  スプリングコネクタ
６１  ピン
７、１０７  フレキシブルプリント基板
８、１０８  プリント基板
９、１０９  コネクタ
１１  円筒部
１２  円筒軸
２１  表示部
２２  スイッチ部
２３  突出部
２４  突起部材
２５  円形開口の端部
２０１  基材
２０２、２１１、２１２  導電パターン
２０３  レジスト部
【図１】
2005086541.tif 000003
【図２】
2005086541.tif 000004
【図３】
2005086541.tif 000005
【図４】
2005086541.tif 000006
【図５】
2005086541.tif 000007
【図６】
2005086541.tif 000008
【図７】
2005086541.tif 000009
【図８】
2005086541.tif 000010
【図９】
2005086541.tif 000011
【図１０】
2005086541.tif 000012
【図１１】
2005086541.tif 000013
【図１２】
2005086541.tif 000014
【図１３】
2005086541.tif 000015
【図１４】
2005086541.tif 000016
【図１５】
2005086541.tif 000017
【図１６】
2005086541.tif 000018
【図１７】
2005086541.tif 000019
【図１８】
2005086541.tif 000020
【図１９】
2005086541.tif 000021
【図２０】
2005086541.tif 000022
【図２１】
2005086541.tif 000023
【図２２】
2005086541.tif 000024
【図２３】
2005086541.tif 000025
【図２４】
2005086541.tif 000026
【図２５】
2005086541.tif 000027